(57)【要約】【課題】安価な検出用コンデンサを用いた気泡検出装置の提供。【手段】気泡検出装置に用いる検出用コンデンサはコイル状コンデンサ本体１０であって、中央に鍔状端子台１ａを持つ電気絶縁樹脂製の管体１と、管体１の管長方向で鍔状端子台１ａの両側に夫々巻き付けられた相独立の第１コイル状電極２及び第２コイル状電極４と、鍔状端子台１ａに植立された第１端子ピンＰ１及び第２端子ピンＰ２を有する。第１コイル状電極２を構成する第１捲線Ｗ１の一端末は第１端子ピンＰ１に絡げられており、その他端は開放端で第１コイル端鍔部Ｆ１に形成された第１スリットＳ１に掛止されている。また、第２コイル状電極４を構成する第２捲線Ｗ２の一端末は第２端子ピンＰ２に絡げられており、その他端は開放端で第２コイル端鍔部Ｆ２に形成された第２スリットＳ２に掛止されている。【選択図】      図２
2011227052.tif 000002
【特許請求の範囲】
【請求項１】
電気絶縁性の管体と、この管体の管長方向に中間隔離部を挟んで夫々巻装された相独立の第１コイル状電極及び第２コイル状電極を有し、前記第１コイル状電極は第１端子に接続されており、前記第２コイル状電極は第２端子に接続されて成ることを特徴とするコイル状コンデンサ。
【請求項２】
請求項１に記載のコイル状コンデンサにおいて、前記第１コイル状電極の一端末は前記第１端子に接続されると共に前記第１コイル状電極の他端末は開放端であり、第２コイル状電極の一端末は第２端子に接続されると共に第２コイル状電極の他端末は開放端であることを特徴とするコイル状コンデンサ。
【請求項３】
請求項２に記載のコイル状コンデンサにおいて、前記第１コイル状電極の一端末と前記第２コイル状電極の一端末とが前記中間隔離部を挟む内側端同士であることを特徴とするコイル状コンデンサ。
【請求項４】
請求項３に記載のコイル状コンデンサにおいて、前記管体は、前記第１コイル状電極の他端末を掛止する第１スリットと、前記第２コイル状電極の他端末を掛止する第２スリットとを有することを特徴とするコイル状コンデンサ。
【請求項５】
請求項１乃至請求項４のいずれか一項に記載のコイル状コンデンサにおいて、前記管体は前記中間隔離部で前記第１端子と前記第２端子を植立する端子台を一体的に有し、前記第１端子と前記第２端子の先端側のそれぞれが制御基板の対応するスルーホールに挿入されて接続していることを特徴とするコイル状コンデンサ。
【請求項６】
請求項１乃至請求項５のいずれか一項に記載のコイル状コンデンサにおいて、前記管体はその両端側に配管接続用の接手部をそれぞれ一体的に備えて成ることを特徴とするコイル状コンデンサ。
【請求項７】
請求項１乃至請求項６のいずれか一項に記載のコイル状コンデンサにおいて、前記管体は前記中間隔離部では流量絞り部を有することを特徴とするコイル状コンデンサ。
【請求項８】
請求項１乃至請求項７のいずれか一項に記載のコイル状コンデンサにおいて、前記中間隔離部の外周側で前記管路を囲む周方向に巡らせて成る接地電極を有することを特徴とするコイル状コンデンサ。
【請求項９】
請求項８に記載のコイル状コンデンサにおいて、前記接地電極は、先端側が前記制御基板の対応するスルーホールに挿入されて接続される第３端子の他端側に一体的に形成されていることを特徴とするコイル状コンデンサ。
【請求項１０】
請求項１乃至請求項９のいずれか一項に規定するコイル状コンデンサにおいて、前記管体は、当該管体の一方端から他方端までの管孔のうち、前記第２コイル状電極の端部から他方端までの範囲の口径は、少なくとも前記第１コイル状電極及び前記第２コイル状電極の範囲の口径に比し小口径であることを特徴とするコイル状コンデンサ。
【請求項１１】
請求項１乃至請求項１０のいずれか一項に規定するコイル状コンデンサを用い、前記第１端子に所定周波数の交流信号を印加し、前記第２端子からの交流出力信号を微分増幅して整流平滑化した直流被検出電圧を得てから、当該直流被検出電圧の電圧レベル変化を判別して前記管路内を通過する液中気泡の有無を検出することを特徴とする気泡検出装置。
【発明の詳細な説明】
【技術分野】
【０００１】
本発明は、例えば、燃料電池発電システムにおいて純水中に含まれる炭酸ガス等の気泡を検出するための気泡検出装置に関する。
【背景技術】
【０００２】
特開２００７−６４７５９に開示の気泡検出装置においては、管体を横断方向に挟む一対の電極板を持つ対向板コンデンサが用いられており、一対の電極板間を気泡が通過する際に生じる電気容量（誘電率）の変化を捕捉して気泡を検出するものである。
【先行技術文献】
【特許文献】
【０００３】
【特許文献１】特開２００７−６４７５９（図１〜図３）
【発明の概要】
【発明が解決しようとする課題】
【０００４】
しかしながら、上記の対向板コンデンサでは、一対の電極板は管体の外周面に密着させるために予め湾曲状に成形しておく必要があり、また一対の電極板を管体に固定するためのクランプ部材を必要とし、製造コスト高を招く。更に、湾曲状の電極板のうち、極板中央同士は気泡が通過する管中心を通る直径に当っているものの、最長距離であって元々電気容量が低くなる部分であり、他方、極板縁同士は最短距離でしかも管壁の誘電体が介在して電気容量が高くなる部分であるが、管中心から離れているので気泡有無の違いが電気容量の変化として殆ど反映しない。このため、一対の湾曲状の電極板では気泡検出の分解能が低いものであった。
【０００５】
そこで、本発明の第１の課題は、上記問題点を解決するものであり、安価な検出用コンデンサを用いた気泡検出装置を提供することにある。本発明の第２の課題は、気泡検出の分解能が向上した気泡検出装置を提供することにある。
【課題を解決するための手段】
【０００６】
本発明に係るコイル状コンデンサは、電気絶縁性の管体と、この管体の管長方向に中間隔離部を挟んで夫々巻装された相独立の第１コイル状電極及び第２コイル状電極を有し、第１コイル状電極は第１端子に接続されており、第２コイル状電極は第２端子に接続されて成ることを特徴とする。
【０００７】
このコイル状コンデンサは管路の管長方向に中間隔離部を挟んで夫々巻装された相独立の第１コイル状電極及び第２コイル状電極を有し、このコイル状電極は捲線を巻装したもので形成できるので、電極構成が簡単で安価な検出用コンデンサを得ることができる。また、電極面積の調節においては、密巻きでターン数を増減すれば済むため、電気容量の異なるコンデンサを容易に得ることができる。
【０００８】
コイル状コンデンサを気泡検出に用いる場合、管中を例えば第１コイル状電極側から第２コイル状電極側へ液体が流下する状態において、ある程度の規模の気泡が第１コイル状電極の部位に差し掛かったときはこの第１コイル状電極側の液体の部分的な排除によりコイル状コンデンサの電気容量が降下し始め、気泡が中間隔離部の部位に差し掛かったときは第１コイル状電極と第２コイル状電極との間の液体の瞬間的な中抜き状態によりコイル状コンデンサの電気容量が更に降下して極小値になり、気泡が第２コイル状電極の部位に差し掛かったときは上記電極間の中抜き状態が解消して第２コイル状電極側の液体の部分的な排除によりコイル状コンデンサの電気容量が上昇し始め、そして気泡が第２コイル状電極の部位を通過したきはその第２コイル状電極側の液体の部分的な排除も解消するのでコイル状コンデンサの電気容量が更に上昇して回復する。このため、気泡が中間隔離部の部位に差し掛かって電気容量が極小値となった際を気泡通過として正確に捉えることができ、高い検出分解能が得られる。
【０００９】
第１コイル状電極の一端末が第１端子に接続されると共に第１コイル状電極の他端末が開放端であり、第２コイル状電極の一端末が第２端子に接続されると共に第２コイル状電極の他端末が開放端である場合には、第１端子に第１コイル状電極の一端末をそのまま絡げて接続し、第２端子に第２コイル状電極の一端末をそのまま絡げて接続することができるため、電極形成が容易であり、低コスト化を図ることができる。
【００１０】
そして、第１コイル状電極の一端末と第２コイル状電極の一端末とが中間隔離部を挟む内側端同士である場合、第１端子と第２端子の接近配置が可能であり、リード線接続処理の容易化などを実現できる。
【００１１】
そして、管体は、第１コイル状電極の他端末を掛止する第１スリットと、第２コイル状電極の他端末を掛止する第２スリットとを有することが望ましい。いずれのコイル状電極の形成においても、捲線の端末をスリットに掛止してから直ぐに管路に巻き付けることができる。
【００１２】
そして、管体は中間隔離部で第１端子と第２端子を植立する端子台を一体的に有するものが望ましい。また、第１端子と第２端子の先端側のそれぞれが回路基板の対応するスルーホールに挿入されて接続していることが望ましい。この第１端子と第２端子を回路基板の支持部材として利用できる。
【００１３】
加えて、管体はその両端側に配管接続用の接手部をそれぞれ一体的に備えて成る場合、このコイル状コンデンサは配管同士を接続する接手として用いることができるので、配管路の任意部分での使用が容易となる。
【００１４】
気泡が中間隔離部の部位に差し掛かった際、その気泡が管径全体を満たすとき、電気容量の極小値を示すことになるため、微小容積の気泡の通過を検出する場合などは、管体は中間隔離部では流量絞り部を有することが望ましい。
【００１５】
また、中間隔離部の外周側で管体を囲む周方向に巡らせて成る接地電極を設けることが望ましい。中間隔離部で周囲に膨らんだ電気力線は接地電極に回収されるため、接地電極の内周側部分だけが第１コイル状電極と第２コイル状電極の間に電気力線に介在するので、第１コイル状電極と第２コイル状電極との対極間部分における寄生誘電体を抑制できる。このため、気泡が中間隔離部に差し掛かった際、電気容量が低下し易くなり、電圧極小値がシャープに現われる。このため、気泡有無の分解能が更に向上し、小気泡の検出が可能となる。
【００１６】
この接地電極は、先端側が制御基板の対応するスルーホールに挿入されて接続される第３端子の他端側に一体的に形成されていることが望ましい。部品点数の削減に寄与する。
【００１７】
加えて、上記のコイル状コンデンサにおいて、管体は、当該管体の一方端から他方端までの管孔のうち、第２コイル状電極の端部から他方端までの範囲の口径は、少なくとも第１コイル状電極及び第２コイル状電極の範囲の口径に比し小口径であることが望ましい。第２コイル端から他方端までが小口径管孔で断面積が小さく、その細い水柱部分が大きな抵抗を持ち、金属配管を他方端に接続した場合でも、交流電流のリークを抑制できるので、検出電圧の低下を招き難く、検出分解能を向上できる。
【００１８】
上記コイル状コンデンサを用いた気泡検出装置としては、第１端子に所定周波数の交流信号を印加し、第２端子からの交流出力信号を微分増幅して整流平滑化した直流被検出電圧を得てから、当該直流被検出電圧の電圧レベル変化を判別して管路内を通過する液中気泡の有無を検出するものである。
【００１９】
なお、上記のコイル状コンデンサは気泡検出に限らず、液体が凍結すると誘電率が下がることから、凍結検出装置としても使用できる。
【発明の効果】
【００２０】
本発明によれば、電極が第１コイル状電極と第２コイル状電極であることから、電極構成が簡単で安価な検出用コンデンサを得ることができる。
【図面の簡単な説明】
【００２１】
【図１】（Ａ）は本発明に係る気泡検出装置の外観を示す断面図付き正面図、（Ｂ）は（Ａ）の気泡検出装置において上下ケースを取り外した状態で管路を横断して示す右側面図である。
【図２】（Ａ）は同気泡検出装置に用いるコイル状コンデンサ本体の実施例１を示す平面図、（Ｂ）は同実施例１の断面図付き正面図である。
【図３】（Ａ）は気泡検出装置の回路ブロック図、（Ｂ）は同気泡検出装置の出力信号のタイミングチャートである。
【図４】同気泡検出装置に用いるコイル状コンデンサ本体の実施例２を示す断面図付き正面図である。
【図５】（Ａ）は同気泡検出装置に用いるコイル状コンデンサ本体の実施例３を示す断面図付き正面図、（Ｂ）は実施例３で管路を横断して示す右側面図である。
【図６】（Ａ）は本発明に係る別の気泡検出装置を示す断面図付き正面図、（Ｂ）はその右側面図である。
【図７】（Ａ）は実施例４に係るコイル状コンデンサ本体の平面図、（Ｂ）はその正面図である。
【図８】実施例５に係るコイル状コンデンサ本体の断面図付き正面図である。
【図９】実施例３と実施例４のコイル状コンデンサ本体を用いて樹脂配管又は金属配管を接続した場合において整流電圧Ｖｄの液体（水）の電気伝導度に対する依存性を示すグラフである
【発明を実施するための形態】
【００２２】
次に、本発明の実施例に係る気泡検出装置を添付図面に基づいて説明する。
【実施例１】
【００２３】
本例の気泡検出装置１００は、図１に示す如く、実施例１に係るコイル状コンデンサ本体１０と、このコイル状コンデンサ本体１０に接続して電子制御するための電子部品を搭載した回路基板２０と、コイル状コンデンサ本体１０及び回路基板２０を格納して保護する下ケース３２及び上ケース３４を備えている。
【００２４】
まず、このコイル状コンデンサ本体１０は、図２に示す如く、両端において緊締金具（図示せず）で配管（図示せず）に接続するための接手部Ｊ１，Ｊ２を持つと共に中央に鍔状端子台１ａを持つ電気絶縁樹脂製の管体１と、管体１の管長方向で鍔状端子台１ａの前後両側に夫々巻き付けられた相独立の第１コイル状電極２及び第２コイル状電極４と、鍔状端子台１ａに植立された第１端子ピンＰ１及び第２端子ピンＰ２とを有する。なお、本例においては、第１コイル状電極２及び第２コイル状電極４は密巻き１層で、第１コイル状電極２のターン数と第２コイル状電極４のターン数は十数回程度で略同じに設定してあるが、必要な電極面積（管体外周面に対する接触面積）が確保できればターン数が異なっていても構わない。
【００２５】
第１コイル状電極２を構成する第１捲線Ｗ１の一端末は第１端子ピンＰ１に絡げられており、その他端は開放端で第１コイル端鍔部Ｆ１に形成された第１スリットＳ１に押し込まれて掛止されている。また、第２コイル状電極４を構成する第２捲線Ｗ２の一端末は第２端子ピンＰ２に絡げられており、その他端は開放端で第２コイル端鍔部Ｆ２に形成された第２スリットＳ２に押し込まれて掛止されている。なお、第１コイル状電極２及び第２コイル状電極４は図２（Ａ）で第１コイル状電極２側のみを図示するように絶縁テープＴで被覆されている。
【００２６】
第１端子ピンＰ１の先端側折り曲げ部と第２端子ピンＰ２の先端側折り曲げ部は、図１に示すように、回路基板２０の対応する給電ランド１２，１４のスルーホールに挿入されて半田付け接続しており、第１端子ピンＰ１及び第２端子ピンＰ２自体が回路基板２０を起立保持するための支持部材として機能している。なお、第１端子ピンＰ１及び第２端子ピンＰ２は回路基板２０を水平姿勢でも支持できる。
【００２７】
回路基板２０上の電子回路は、図３（Ａ）に示す如く、第１端子ピンＰ１を介してコイル状コンデンサ本体１０の第１コイル状電極２に交流入力信号（例えば可聴数周波数の１０ＫＨｚ）を印加する発振回路２２と、第２コイル状電極４から第２端子ピンＰ２を介して取り出された交流出力信号を微分する受信部２３と、その微分信号からノイズを除去した１０ＫＨｚ中心の信号を取り出す帯域フィルタ２４と、１０ＫＨｚ中心の信号を半波整流して平滑化する整流回路２５と、この整流回路２５からの直流電圧Ｖｄと閾値電圧Ｖｔｈ１，Ｖｔｈ２をヒステリシス比較して検出信号Ｖｏｕｔを送出する判定回路２６とを備えており、その検出信号Ｖｏｕｔはリード線２７を介して外部管理部へ送出される。
【００２８】
この気泡検出装置１００の管体１において、図２（Ｂ）に示す如く、例えば第１コイル状電極２側から第２コイル状電極４側へ流体（純水）が管孔Ｈを流動する状態では、ある程度の規模の気泡ｂ１が第１コイル状電極２の部位に差し掛かったときは、この第１コイル状電極２側の流体の部分的な排除でコイル状コンデンサ１０の電気容量が降下し始めるので、図３（Ｂ）に示す如く、直流電圧（整流電圧）Ｖｄが降下し始める。そして気泡ｂ２が鍔状端子台１ａの部位（検出部）に差し掛かったときは第１コイル状電極２と第２コイル状電極４との間の液体の中抜き状態によりコイル状コンデンサ本体１０の電気容量が更に降下するので、直流電圧Ｖｄが極小電圧値Ｖ２まで更に降下する。この後、気泡ｂ３が第２コイル状電極４の部位に差し掛かったときは、上記電極間中抜き状態が解消して第２コイル状電極４側の流体の部分的な排除でコイル状コンデンサ本体１０の電気容量が上昇し始めるので、直流電圧Ｖｄが上昇し始め、そして、気泡ｂ４が第２コイル状電極４の部位を通過したきはその第２コイル状電極４側の液体の部分的な排除も解消することでコイル状コンデンサ本体１０の電気容量が更に上昇し、直流電圧Ｖｄが気泡通過前の値に回復する。このため、判定回路２６の閾値電圧Ｖｔｈ１，Ｖｔｈ２（＜Ｖｔｈ１）を極小電圧値Ｖ２付近に設定しておくことにより、ハイレベルの検出信号Ｖｏｕｔとして気泡通過を正確に捉えることができる。
【００２９】
ここで、コイル状コンデンサ本体１０は片側終端の第１コイル状電極２及び第２コイル状電極４であると言え誘導性を持つことから、この誘導性を低減して容量性を高めるためには、１０ＫＨｚ程度の低周波数（可聴周波数）を第１コイル状電極２に印加するのが望ましい。
【００３０】
本例のコイル状コンデンサ本体１０は管体１の管長方向に鍔状端子台（中間隔離部）１ａを挟んで夫々巻き付けられた相独立の第１コイル状電極２及び第２コイル状電極４を有し、第１捲線Ｗ１及び第２捲線Ｗ２を管路１に巻き付けるだけで第１コイル状電極２及び第２コイル状電極４を形成できるので、電極構成が非常に簡単で安価な検出用コンデンサを得ることができる。また電極面積としては、第１捲線Ｗ１及び第２捲線Ｗ２が実質的に管体１の外周面に密着する面積であるが、この電極面積の増減は密巻きでターン数を増減すれば済むため、電気容量値の異なるコンデンサを容易に得ることができる。
【００３１】
第１コイル状電極２と第２コイル状電極４との内側端同士に第１端子ピンＰ１と第２端子ピンＰ２を接続してあるため、接続作業が容易であり、また第１端子ピンＰ１及び第２端子ピンＰ２が回路基板２０の支持部材として機能する。
【実施例２】
【００３２】
図４はコイル状コンデンサ本体の実施例２を示す。図４において図２（Ｂ）と同一部分には同一参照符号を付し、その説明は省略する。
【００３３】
このコイル状コンデンサ本体４０において、図２（Ｂ）のコイル状コンデンサ本体１０と異なる点は、鍔状端子台１ａの部分（検出部）で流量絞り部（狭窄部）６が形成されているところにある。このため、気泡が鍔状端子台１ａに差し掛かった際、その気泡が小気泡でも、鍔状端子台１ａの部分での管径一杯に充満して瞬間的にも流体を完全に排除するので、電気容量の極小値が確実に得られ、気泡検出の分解能が向上する。
【実施例３】
【００３４】
図５はコイル状コンデンサ本体の実施例３を示す。本例のコイル状コンデンサ本体５０においても、実施例２と同様に、鍔状端子台１ａの対極間部分（検出部）に流量を制限する縮径の流量絞り部（狭窄部）６′が形成されている。このため、気泡が鍔状端子台１ａの対極間部分に差し掛かった際、その気泡が小気泡でも、対極間部分での管径一杯に充満し、電気容量の極小値を確実に示すことが期待される。しかし実際は、流量絞り部６′の肉厚樹脂部分（管壁誘電体）が第１コイル状電極２と第２コイル状電極４との対極間部分に常に割り込んで介在している点と、それがなくても第１コイル状電極２と第２コイル状電極４の対極間部分での電気力線が周囲へ膨らんで上記肉厚樹脂部分を通過することになる点から、不要な管壁誘電体が常に寄生し、気泡が鍔状端子台１ａの対極間部分（検出部）に差し掛かった際でも微小であればあるほど電気容量が低下し難くなり、電圧極小値がシャープに現われ難く、気泡有無の分解能がなお低い。
【００３５】
そこで本例においては、流量絞り部６′の外周溝６ａ内に第３端子ピンＰ２の円弧状接地電極部Ｒが嵌め込まれており、第３端子ピンＰ３の先端側折り曲げ部は回路基板２０の対応する接地ランド１６のスルーホールに挿入されて半田付け接続されている。本例の円弧状接地電極部Ｒは第３端子ピンＰ３の他端側に一体的に形成してあるため外周溝６ａの約１周を巡る程度の周回度であるが、第３端子ピンＰ３とは別体の捲線を用いることで、コイル状として外周溝６ａの全周に巡らすこともできる。
【００３６】
このように、気泡検出においては円弧状接地電極部Ｒが接地電位に維持されているため、第１コイル状電極２と第２コイル状電極４の対極間部分で周囲に膨らんだ電気力線は円弧状接地電極部Ｒに回収されるため、円弧状接地電極部Ｒの内周側樹脂部分だけが第１コイル状電極２と第２コイル状電極４の間に電気力線に介在するので、第１コイル状電極２と第２コイル状電極４との対極間部分における寄生誘電体を抑制できる。このため、気泡が鍔状端子台１ａに差し掛かった際、電気容量が低下し易くなり、電圧極小値がシャープに現われる。それゆえ、気泡有無の分解能が向上し、小気泡の検出が可能となる。
【００３７】
そして、円弧状接地電極部Ｒは第３端子ピンＰ３の他端側に形成されているため、部品点数の削減に寄与する。
【実施例４】
【００３８】
図９のＧ１，Ｇ２は整流電圧Ｖｄのコイル状コンデンサ本体５０（実施例３）を流れる液体（水）の電気伝導度に対する依存性を示すグラフである。Ｇ１はコイル状コンデンサ本体５０の両接手部Ｊ１，Ｊ２に緊締金具で樹脂配管を接続した状態で、Ｇ２はコイル状コンデンサ本体５０の一方（上流側）の接手部Ｊ１に緊締金具で樹脂配管を接続すると共に他方（下流側）の接手部Ｊ２に緊締金具で金属配管を接続した状態である。いずれの場合も伝導度が５（μＳ／ｃｍ）付近で整流電圧Ｖｄのピークを示し、伝導度が上がり、純水度が低下するにつれ整流電圧Ｖｄが漸減しているが、接手部Ｊ２に金属配管を接続したＧ２では両接手部Ｊ１，Ｊ２に樹脂配管を接続したＧ１に較べて、整流電圧Ｖｄの値が相当低下していることが判明した。閾値電圧Ｖｔｈ１，Ｖｔｈ２は通常９５〜１００ｍＶに設定するのを適当とするので、伝導度が３０（μＳ／ｃｍ）以上では金属配管に接続した状態では検出不能のおそれとなる。
【００３９】
図６（Ａ）は本発明に係る別の気泡検出装置２００を示す断面図付き正面図、図６（Ｂ）はその右側面図、図７（Ａ）はその平面図、図７（Ｂ）はその正面図である。
【００４０】
この気泡検出装置２００も、実施例４に係るコイル状コンデンサ本体６０と、このコイル状コンデンサ本体６０に接続して電子制御するための電子部品を搭載した回路基板２０と、コイル状コンデンサ本体６０及び回路基板２０を格納して保護する下ケース３２′及び上ケース３４′を備えている。
【００４１】
このコイル状コンデンサ本体６０は、両端において緊締金具３１，３２で配管Ｑ１，Ｑ２に接続するための接手部Ｊ１，Ｊ２を持つと共に中央に第１鍔状端子台１ｂ及び第２鍔状端子台１ｃを持つ電気絶縁樹脂製の管体１と、管体１の管長方向で第１鍔状端子台１ｂ及び第２鍔状端子台１ｃの前後両側に夫々巻き付けられた相独立の第１コイル状電極２及び第２コイル状電極４と、鍔状端子台１ａに植立された第１端子ピンＰ１，第２端子ピンＰ２及び第３端子ピンＰ３を有する。緊締金具３１，３２は板バネ状の挟み込みクリップである。
【００４２】
第１コイル状電極２を構成する第１捲線Ｗ１の一端末は第１端子ピンＰ１に絡げられており、その他端は開放端で第１コイル端鍔部Ｆ１に形成された第１スリットＳ１に押し込まれて掛止されている。また、第２コイル状電極４を構成する第２捲線Ｗ２の一端末は第２端子ピンＰ２に絡げられており、その他端は開放端で第２コイル端鍔部Ｆ２に形成された第２スリットＳ２に押し込まれて掛止されている。第１鍔状端子台１ｂと第２鍔状端子台１ｃとの間には第３捲線Ｗ３が円弧状接地電極部Ｒとして巻回されて第３端子ピンＰ３に絡げられている。第１乃至第３端子ピンＰ１〜Ｐ３の先端は回路基板２０の対応するスルーホールに挿入されて半田付け接続されている。
【００４３】
そして、本例のコイル状コンデンサ本体６０は上流側の接手部Ｊ１から第２コイル端鍔部Ｆ２まで一様な口径の管孔Ｈと第２コイル端鍔部Ｆ２から下流側の接手部Ｊ２まで一様な口径の小口径管孔ｈとを有している。本例の小口径管孔ｈの口径は管孔Ｈのそれの約１／３である。
【００４４】
図９のＭ１，Ｍ２は整流電圧Ｖｄのコイル状コンデンサ本体６０を流れる液体（水）の電気伝導度に対する依存性を示すグラフである。Ｍ２は図６のようにコイル状コンデンサ本体６０の上流側の接手部Ｊ１に樹脂配管Ｑ１を接続すると共に下流側の接手部Ｊ２に金属配管Ｑ２を接続した状態である。Ｍ１はコイル状コンデンサ本体６０の両接手部Ｊ１，Ｊ２に樹脂配管を接続した状態である。Ｍ２でもＧ１とほぼ同等で、Ｍ１ではＧ１を凌駕している。Ｇ２では電気伝導度が大きくなるほど、整流電圧Ｖｄの低下割合が大きくなっていることから、Ｇ２においては管孔のうち第２コイル端から金属配管Ｑ２までの管孔水柱部分が導体として働き、交流入力信号が金属配管Ｑ２側へリークしてしまう。しかし、コイル状コンデンサ本体６０では第２コイル端鍔部Ｆ２から下流側の接手部Ｊ２までが小口径管孔ｈとなって断面積が小さくなり、その細い管孔水柱部分が大きな抵抗を持つことになるので、金属配管Ｑ２側へのリークを抑制でき、整流電圧Ｖｄの低下を招き難い。
【実施例５】
【００４５】
図８は実施例５に係るコイル状コンデンサ本体７０を示す。図８において図６（Ａ）に示す部分ど同一部分には同一参照符号を付し、その説明は省略する。本例のコイル状コンデンサ本体７０において実施例４のコイル状コンデンサ本体６０とは異なる点は、第１コイル端鍔部Ｆ１から上流側の配管Ｑ１までの部分も小口径管孔ｈで、第１コイル端鍔部Ｆ１から第２コイル端鍔部Ｆ２までの管孔Ｈを中心として左右対称となっている。実施例４のように第２コイル端鍔部Ｆ２から下流側の配管Ｑ２までの部分だけが小口径管孔ｈの場合は管体１の樹脂成形が容易であるが、本例では第１コイル端鍔部Ｆ１から上流側の配管Ｑ１までの部分を小口径管孔ｈとするために、細管７５を管孔Ｈに挿入固定してある。なお、Ｏ１，Ｏ２はＯリングである。
【００４６】
上流側の配管Ｑ１が金属配管でも、小口径管孔ｈの細い水柱部分の抵抗が高くなるため、金属配管へのリークを抑制でき、整流電圧Ｖｄの低下を招き難い。
【００４７】
なお、上記各実施例において、コイル状コンデンサ１０，４０，５０，６０，７０は、管路１の外周面に第１捲線Ｗ１及び第２捲線Ｗ２を巻き付けて第１コイル状電極２及び第２コイル状電極４を形成してから絶縁テープＴを被覆したものであるが、予め第１捲線Ｗ１から成る第１コイル状電極２及び第２捲線Ｗ２から成る第２コイル状電極４をインサート品として絶縁樹脂で成形したものでも構わない。
【００４８】
そして、上記のコイル状コンデンサは気泡検出に限らず、凍結検出，管孔Ｈ，ｈに球体などを通過させる場合の球体検出装置や異物流下検出装置などとしても用いることができる。
【符号の説明】
【００４９】
１…管体
１ａ…鍔状端子台
１ｂ…第１鍔状端子台
１ｃ…第２鍔状端子台
２…第１コイル状電極
４…第２コイル状電極
６，６′…流量絞り部
６ａ…外周溝
１０，４０，５０，６０，７０…コイル状コンデンサ本体
１２，１４…給電ランド
１６…接地ランド
２０…回路基板
２２…発振回路
２３…受信部
２４…帯域フィルタ
２５…整流回路
２６…判定回路
２７…リード線
３２，３２′…下ケース
３４，３４′…上ケース
７５…細管
１００，２００…気泡検出装置
Ｆ１…第１コイル端鍔部
Ｆ２…第２コイル端鍔部
Ｈ…管孔
ｈ…小口径管孔
Ｊ１，Ｊ２…接手部
Ｏ１，  Ｏ２…Ｏリング
Ｐ１…第１端子ピン
Ｐ２…第２端子ピン
Ｐ３…第３端子ピン
Ｑ１，Ｑ２…配管
Ｒ…円弧状接地電極部
Ｓ１…第１スリット
Ｓ２…第２スリット
Ｔ…絶縁テープ
Ｖ２…極小値
Ｖｄ…直流電圧
Ｖｔｈ１，Ｖｔｈ２…閾値電圧
Ｖｏｕｔ…検出信号
Ｗ１…第１捲線
Ｗ２…第２捲線
Ｗ３…第３捲線
【図１】
2011227052.tif 000003
【図２】
2011227052.tif 000004
【図３】
2011227052.tif 000005
【図４】
2011227052.tif 000006
【図５】
2011227052.tif 000007
【図６】
2011227052.tif 000008
【図７】
2011227052.tif 000009
【図８】
2011227052.tif 000010
【図９】
2011227052.tif 000011